(57)【要約】【課題】偏心管本体の位置合わせ作業等の簡便化と、製造コストの削減との両立を図ることが可能な偏心管およびこれを備えた湯水混合水栓を提供すること。【解決手段】偏心管本体１と、この偏心管本体１の湯水導入部２を湯水供給用の配管Ｔに接続するためのねじ込み式の管継手３とを備えた偏心管であって、前記管継手３に、互いに締め付け方向が逆向きとなる二つのねじ部５，６を前後に設け、また、一方のねじ部５が螺着する第１螺着部７を前記配管Ｔに設けると共に、他方のねじ部６が螺着する第２螺着部８を前記湯水導入部２に設け、さらに、前記第２螺着部８に他方のねじ部６を螺着した状態で内側に入る前記偏心管本体１または管継手３のいずれか一方の外周部にその周方向に延びる段部９を設け、他方に前記段部９に係合し、かつ管継手３に対する偏心管本体１の回転を許容する状態と許容しない状態とに変更自在な係合部１０を設けた。【選択図】図３
2008202336.tif 000002
【特許請求の範囲】
【請求項１】
偏心管本体と、この偏心管本体の湯水導入部を湯水供給用の配管に接続するためのねじ込み式の管継手とを備えた偏心管であって、前記管継手に、互いに締め付け方向が逆向きとなる二つのねじ部を前後に設け、また、一方のねじ部が螺着する第１螺着部を前記配管に設けると共に、他方のねじ部が螺着する第２螺着部を前記湯水導入部に設け、さらに、前記第２螺着部に他方のねじ部を螺着した状態で内側に入る前記偏心管本体または管継手のいずれか一方の外周部にその周方向に延びる段部を設け、他方に前記段部に係合し、かつ管継手に対する偏心管本体の回転を許容する状態と許容しない状態とに変更自在な係合部を設けたことを特徴とする偏心管。
【請求項２】
前記一方および他方のねじ部がそれぞれ雄ねじ部であり、前記第１および第２螺着部がそれぞれ雌ねじ部であり、前記段部を管継手の外周部に設けてあり、前記係合部が湯水導入部に設けたねじ穴に螺着するねじ部材である請求項１に記載の偏心管。
【請求項３】
請求項１または２に記載の偏心管を備えたことを特徴とする湯水混合水栓。
【発明の詳細な説明】
【技術分野】
【０００１】
本発明は、湯水（湯又は水）供給用配管への湯水混合水栓の接続に用いる偏心管およびこれを備えた湯水混合水栓に関する。
【背景技術】
【０００２】
従来より、湯水供給用配管への湯水混合水栓の接続に偏心管が用いられており、この偏心管は一般的に、偏心管本体と、この偏心管本体の湯水（湯又は水）導入部を前記配管に接続するための管継手とを備えている。そして、前記偏心管では、管継手を配管に接続固定した後、管継手に接続した状態の偏心管本体を回動操作してその位置合わせを行うのであり、この位置合わせによって偏心管は湯水混合水栓を取り付けるのに適した状態となる。
【０００３】
【特許文献１】特許第３２９４８３０号公報
【特許文献２】特開２００６−１３２２０７号公報
【発明の開示】
【発明が解決しようとする課題】
【０００４】
ところで、現在に至るまでの間に種々の偏心管が提案されているが、その殆どは、上記位置合わせ作業や湯水混合水栓の取付け作業が困難で熟練を要するものか、位置合わせ作業等は簡単に行える反面、そのために採用した特殊で複雑な構造が原因で大幅なコストアップを余儀なくされているものかであり、いずれのタイプの偏心管にも未だ改良の余地が残されていると言える。
【０００５】
本発明は上述の実情に鑑みてなされたもので、その目的は、偏心管本体の位置合わせ作業等の簡便化と、製造コストの削減との両立を図ることが可能な偏心管およびこれを備えた湯水混合水栓を提供することにある。
【課題を解決するための手段】
【０００６】
上記目的を達成するために、本発明に係る偏心管は、偏心管本体と、この偏心管本体の湯水（ここでは「湯又は水」を意味する）導入部を湯水（ここでは「湯又は水」を意味する）供給用の配管に接続するためのねじ込み式の管継手とを備えた偏心管であって、前記管継手に、互いに締め付け方向が逆向きとなる二つのねじ部を前後に設け、また、一方のねじ部が螺着する第１螺着部を前記配管に設けると共に、他方のねじ部が螺着する第２螺着部を前記湯水導入部に設け、さらに、前記第２螺着部に他方のねじ部を螺着した状態で内側に入る前記偏心管本体または管継手のいずれか一方の外周部にその周方向に延びる段部を設け、他方に前記段部に係合し、かつ管継手に対する偏心管本体の回転を許容する状態と許容しない状態とに変更自在な係合部を設けたことを特徴としている（請求項１）。
【０００７】
具体的には、前記一方および他方のねじ部がそれぞれ雄ねじ部であり、前記第１および第２螺着部がそれぞれ雌ねじ部であり、前記段部を管継手の外周部に設けてあり、前記係合部が湯水導入部に設けたねじ穴に螺着するねじ部材であるのが好ましい（請求項２）。
【０００８】
また、上記目的を達成するために、本発明に係る湯水混合水栓は、請求項１または２に記載の偏心管を備えたことを特徴としている（請求項３）。
【発明の効果】
【０００９】
請求項１〜３に係る発明では、偏心管本体の位置合わせ作業等の簡便化と、製造コストの削減との両立を図ることが可能な偏心管およびこれを備えた湯水混合水栓が得られる。
【００１０】
すなわち、請求項１，２に係る発明では、係合部を利用して偏心管本体を所望の位置に保持することができるので、偏心管本体の位置合わせ作業や湯水混合水栓の取付け作業を行う際に、困難で熟練を要するような作業を不要とすることができ、上記作業の簡便化を図ることが可能となる。
【００１１】
しかも、前記偏心管の個々の構成は極めてシンプルであるので、製造が容易であり製造コストの削減を達成することも可能である。
【００１２】
特に、請求項２に係る発明では、偏心管本体と管継手との間からの水漏れを防止するシール構造を、一般的に用いられているシンプルなものにでき、省スペース化、低コスト化の点で有利な偏心管が得られる。
【００１３】
さらに、請求項３に係る発明では、上記効果を奏する湯水混合水栓が得られる。
【発明を実施するための最良の形態】
【００１４】
以下、本発明を実施するための形態について図面を参照しながら説明する。図１は本発明の一実施の形態に係る偏心管を備えた湯水混合水栓の構成を概略的に示す斜視図、図２は前記偏心管の構成を概略的に示す分解斜視図、図３（Ａ）および（Ｂ）は位置合わせ前の前記偏心管の構成を概略的に示す縦断面図および要部拡大縦断面図、図４および図５は位置合わせ前および位置合わせ後の前記偏心管の構成を概略的に示す斜視図、図６（Ａ）および（Ｂ）は位置合わせ後の前記偏心管の構成を概略的に示す縦断面図および要部拡大縦断面図である。
【００１５】
まず、図１に示すように、この実施の形態に係る偏心管は、浴室等の壁Ｗ（図３（Ａ）参照）に埋設した湯水供給用の給湯配管および給水配管（以下、単に配管ともいう）Ｔに湯水混合水栓Ｍを接続するために用いるものである。そして、図１および図２に示すように、前記偏心管は、ほぼクランク状の偏心管本体１と、この偏心管本体１の湯水導入部２を前記配管Ｔに接続するためのねじ込み式の管継手３と、環状の化粧カバー４とを備えている。
【００１６】
ここで、前記管継手３には、図２および図３（Ａ）に示すように、互いに締め付け方向が逆向きとなる二つのねじ部（この実施の形態では雄ねじ部）５，６を前後に設けてあり、これに対応させて、一方のねじ部５が螺着する第１螺着部（この実施の形態では雌ねじ部）７を前記配管Ｔに設け、他方のねじ部６が螺着する第２螺着部（この実施の形態では雌ねじ部）８を前記湯水導入部２に設けてある。
【００１７】
また、図３（Ａ）および（Ｂ）に示すように、前記第２螺着部８に他方のねじ部６を螺着した状態で内側に入る前記偏心管本体１または管継手３のいずれか一方（この実施の形態では偏心管本体１）の外周部にその周方向に延びる環状の段部（溝）９を設け、他方（この実施の形態では管継手３）に前記段部９に係合し、かつ管継手３に対する偏心管本体１の回転操作を許容する状態と許容しない状態とに変更自在な係合部１０を設けてある。
【００１８】
一方、図２および図３（Ａ）に示すように、前記偏心管本体１は、内部を通過する湯水の流量を調整する流量調整弁１１を有する流量調整部１２と、前記湯水混合水栓Ｍに接続する接続部１３とを備えている。
【００１９】
他方、図２および図３（Ａ）に示すように、前記管継手３の外周部にはシール部材（例えばＯリング）１４を設け、偏心管本体１と管継手３との間からの水漏れを防止している。
【００２０】
さらに、この実施の形態において、前記係合部１０は例えばなべ小ねじ等のねじ部材であり、このねじ部材が螺着するねじ穴１５を偏心管本体１の湯水導入部２に設けてある。
【００２１】
尚、前記湯水混合水栓Ｍ、偏心管本体１の流量調整部１２および接続部１３、化粧カバー４の構成は公知のものを採用することができるので、そのより詳細な説明はここでは省略する。
【００２２】
次に、上記の構成からなる偏心管を位置合わせして湯水混合水栓Ｍを配管Ｔに接続する方法について説明する。まず、事前準備として、図２に示す分解状態となっている偏心管を組み立てる必要があり、そのために、前記偏心管本体１の第２螺着部８に管継手３のねじ部６を螺着した後、係合部（ねじ部材）１０をねじ穴１５に螺着して、係合部１０を環状の段部（溝）９に係合可能な状態にする。但し、前記係合部１０の先端を段部９の底に当接させず離間させておき、管継手３に対する偏心管本体１の回転操作を許容する状態としておく。他方、前記化粧カバー４は管継手３に装着しておく。
【００２３】
そして、上記の状態の二つの偏心管をそれぞれ配管Ｔに接続する。この接続は、配管Ｔに設けた第１螺着部７に管継手３のねじ部５を螺着することによって行い、この際、前記ねじ部５は右ねじ部であることから、図４に示すように、管継手３を右回りに回動させる。
【００２４】
ここで、管継手３に設けたねじ部５とねじ部６との締め付け方向が逆向きになっていることは既に述べた通りであり、ねじ部５が右ねじ部になっているのに対してねじ部６は左ねじ部となっている。従って、上記管継手３を右回り（ねじ部５を締め付ける向き）に回動させるということはねじ部６を緩める向きに回動するということであり、この回動操作を続ければ偏心管本体１の第２螺着部８に対するねじ部６の螺着がやがて解除されてしまうとも思われる。しかし、この実施形態では、前記係合部１０が段部９に係合するので、上記解除は確実に防止され、不具合が生じることはない。
【００２５】
上記のように管継手３を配管Ｔに接続した直後は、図３（Ａ）および（Ｂ）に示すように、係合部１０は段部９の前側、すなわち前記壁Ｗから遠い側（図中左側）に当接した状態となっている。そして、今度は、図５に示すように前記偏心管本体１を左回りに回動操作して、偏心管本体１の接続部１３が湯水混合水栓Ｍに接続可能な適宜の位置にくるように位置合わせ（微調整）を行う。
【００２６】
ここで、前記段部９の前後方向の幅は５．５ｍｍであり、係合部１０の径は３ｍｍであるため、２．５ｍｍのクリアランスがあり、これによって偏心管本体１は上記左回りの回動操作時には３６０°自由に回転する。
【００２７】
そして、上記位置合わせのために偏心管本体１を左回りに回動操作すると、前記係合部１０が段部９の後側に向かって幾らか移動することになる。すなわち、位置合わせ後の偏心管は図６（Ａ）および（Ｂ）に示す状態となり、この状態を維持するために、前記係合部１０を螺進させてその先端を段部９に当接させ、管継手３に対する偏心管本体１の回転を許容する状態から許容しない状態に変更する。
【００２８】
上記操作により、偏心管本体１は作業者が手を放しても上記位置合わせした状態を保つため、この状態の偏心管に対して上記湯水混合水栓Ｍを容易に取り付けることができ、この取付けによって配管Ｔに対する湯水混合水栓Ｍの接続が完了する。
【００２９】
上記の構成を備えた偏心管では、係合部１０を利用して偏心管本体１を所望の位置に保持することができるので、偏心管本体１の位置合わせ作業や湯水混合水栓Ｍの取付け作業を行う際に、困難で熟練を要するような作業を不要とすることができ、上記作業の簡便化を図ることが可能となる。
【００３０】
しかも、前記偏心管の個々の構成は極めてシンプルであるので、製造が容易であり製造コストの削減を達成することも可能である。
【００３１】
尚、本発明は上記実施の形態に限られず、種々に変形して実施することができる。例えば、上記実施の形態では、ねじ部５を右ねじ部、ねじ部６を左ねじ部としているが、逆にしてもよい。また、ねじ部５，６を雌ねじ部、第１、第２螺着部７，８を雄ねじ部とし、前記段部９を湯水導入部２の外周部に設け、ねじ穴１５を管継手３に設けてもよい。
【図面の簡単な説明】
【００３２】
【図１】本発明の一実施の形態に係る偏心管を備えた湯水混合水栓の構成を概略的に示す斜視図である。
【図２】前記偏心管の構成を概略的に示す分解斜視図である。
【図３】（Ａ）および（Ｂ）は位置合わせ前の前記偏心管の構成を概略的に示す縦断面図および要部拡大縦断面図である。
【図４】位置合わせ前の前記偏心管の構成を概略的に示す斜視図である。
【図５】位置合わせ後の前記偏心管の構成を概略的に示す斜視図である。
【図６】（Ａ）および（Ｂ）は位置合わせ後の前記偏心管の構成を概略的に示す縦断面図および要部拡大縦断面図である。
【符号の説明】
【００３３】
１    偏心管本体
２    湯水導入部
３    管継手
５    一方のねじ部
６    他方のねじ部
７    第１螺着部
８    第２螺着部
９    段部
１０    係合部
Ｔ    湯水供給用の配管
【図１】
2008202336.tif 000003
【図２】
2008202336.tif 000004
【図３】
2008202336.tif 000005
【図４】
2008202336.tif 000006
【図５】
2008202336.tif 000007
【図６】
2008202336.tif 000008